【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
車両のヘッドユニットを介してナビゲーションデータを要求するための入力の提案を提供するためのポータブルデバイスにおける方法であって、
近距離通信リンクを介して前記ヘッドユニットに提供された部分的なユーザ入力を受信するステップであって、前記部分的なユーザ入力が英数字のシーケンスを含む、受信するステップと、
1つまたは複数のプロセッサによって、前記部分的なユーザ入力に対応する提案される入力を生成するステップであって、前記提案される入力が、英数字の前記シーケンスおよび1つまたは複数のさらなる文字を含み、前記提案される入力が、1つまたは複数の地理的位置の組に対応する、生成するステップと、
前記1つまたは複数のプロセッサによって前記近距離通信リンクを介して前記ヘッドユニットに前記提案される入力を提供するステップとを含む、方法。
【請求項２】
前記提案される入力を生成するステップが、
長距離通信リンクを介して提案サーバに前記部分的なユーザ入力を送信するステップと、
前記長距離通信リンクを介して提案の組を受信するステップとを含み、
前記提案される入力が提案の前記組に基づく請求項1に記載の方法。
【請求項３】
前記ヘッドユニットに前記提案される入力を提供するステップが、
第1のフォーマットで前記提案サーバから提案の前記組を受信するステップと、
前記提案される入力を生成するために提案の前記組を前記ヘッドユニットに固有の第2のフォーマットに変換させるステップとを含む請求項2に記載の方法。
【請求項４】
1つまたは複数の地理的位置の前記組が、複数の地理的位置を含み、前記方法が、
前記近距離通信リンクを介して前記ヘッドユニットから前記複数の地理的位置のうちの1つの選択を受信するステップと、
前記車両の現在位置から選択された地理的位置へのナビゲーションの指示を生成するステップとをさらに含む請求項1に記載の方法。
【請求項５】
前記ヘッドユニットに前記提案される入力を提供するステップが、地理的位置の1つまたは複数の名前に関する音声アナウンスを生成するステップを含む請求項1に記載の方法。
【請求項６】
前記提案される入力が、前記ポータブルデバイスのユーザのためにパーソナライズされる請求項1に記載の方法。
【請求項７】
1つまたは複数のプロセッサと、
第1の通信リンクを介して車両のヘッドユニットと通信するための第1のネットワークインターフェースと、
第2の通信リンクを介して提案サーバと通信するための第2のネットワークインターフェースと、
前記1つまたは複数のプロセッサによって実行されるときにポータブルデバイスに、
前記第1の通信リンクを介して前記ヘッドユニットに提供された部分的なユーザ入力を受信させ、
前記部分的なユーザ入力が前記提案サーバに送信されるようにさせ、
前記提案サーバから提案の組を受信させ、
提案の前記組に基づいて提案される入力を生成させ、
前記提案される入力が前記ヘッドユニットに送信されるようにさせる命令を記憶する非一時的コンピュータ可読媒体とを含むポータブルデバイス。
【請求項８】
前記提案サーバから受信される提案の前記組が、第1のフォーマットに準拠し、ヘッドユニットに送信される前記提案される入力が、第2のフォーマットに準拠し、前記命令が、前記ポータブルデバイスに、前記提案される入力を生成するために提案の前記組を前記第1のフォーマットから前記第2のフォーマットにさらに変換させる請求項7に記載のポータブルデバイス。
【請求項９】
前記非一時的コンピュータ可読媒体に記憶される前記命令が、
前記提案サーバに前記部分的なユーザ入力を提供し、前記提案サーバから提案の前記組を受信するナビゲーションサービスアプリケーションを実装する命令の第1の組と、
付随アプリケーションによって呼び出されるときに前記第2のフォーマットへの変換のために前記付随アプリケーションに提案の前記組を提供するアプリケーションプログラミングインターフェース(API)を実装する命令の第2の組とを含む請求項8に記載のポータブルデバイス。
【請求項１０】
前記第2のフォーマットが、前記ヘッドユニットに固有の独自仕様のフォーマットである請求項9に記載のポータブルデバイス。
【請求項１１】
前記ナビゲーションサービスアプリケーションが、オペレーティングシステムにネイティブである請求項9に記載のポータブルデバイス。
【請求項１２】
前記部分的なユーザ入力が、複数の地理的位置に一致する英数字のシーケンスを含み、前記提案される入力が、前記複数の地理的位置の名前を含む請求項7に記載のポータブルデバイス。
【請求項１３】
前記命令が、前記ポータブルデバイスにさらに、
前記ヘッドユニットに前記複数の地理的位置の前記名前を提供させ、
前記複数の地理的位置のうちの1つの選択を受信させ、
選択された地理的位置へのナビゲーションの指示を生成させる請求項12に記載のポータブルデバイス。
【請求項１４】
前記提案される入力を前記ヘッドユニットに送信させるために、前記命令が、前記ポータブルデバイスに、
受信された提案される入力に基づいて音声アナウンスを生成させ、
前記ヘッドユニットに生成された音声アナウンスを提供させる請求項7に記載のポータブルデバイス。
【請求項１５】
前記命令が、前記ポータブルデバイスに、前記ポータブルデバイスのユーザのためにさらにパーソナライズさせる請求項7に記載のポータブルデバイス。
【請求項１６】
前記第1のネットワークインターフェースが近距離通信インターフェースであり、
前記第2のネットワークインターフェースが長距離通信インターフェースである請求項7に記載のポータブルデバイス。
【請求項１７】
ポータブルデバイス上で実行されるソフトウェアアプリケーションによる使用のためにアプリケーションプログラミングインターフェース(API)を実装する複数の命令を記憶する非一時的コンピュータ可読媒体であって、前記APIが、前記ソフトウェアアプリケーションによって呼び出されるときに、
第1の通信リンクを介して前記ポータブルデバイスとは独立して動作する外部デバイスから部分的なユーザ入力を受信し、
第2の通信リンクを介して提案サーバに前記部分的なユーザ入力を提供し、
前記提案サーバから1つまたは複数の地理的位置の組に対応する1つまたは複数の提案を受信し、
前記1つまたは複数の提案に基づいて提案される入力を生成し、
前記外部デバイスに前記提案される入力を提供するように構成される、非一時的コンピュータ可読媒体。
【請求項１８】
前記部分的なユーザ入力が、英数字のシーケンスを含み、前記1つまたは複数の提案に含まれるそれぞれの地理的位置が、英数字の前記シーケンスおよび前記地理的位置の名前の1つまたは複数のさらなる文字を含む請求項17に記載のコンピュータ可読媒体。
【請求項１９】
前記APIが、
英数字フォーマットで前記提案サーバから前記1つまたは複数の提案を受信し、
前記提案される入力を生成するために前記1つまたは複数の提案に基づいて音声アナウンスを生成するようにさらに構成される請求項18に記載のコンピュータ可読媒体。
【請求項２０】
前記APIが、前記1つまたは複数の提案を前記ポータブルデバイスのユーザのためにさらにパーソナライズさせる請求項17に記載のコンピュータ可読媒体。